(57)【特許請求の範囲】
【請求項１】
ポンプ部と、
前記ポンプ部を駆動するモータ部と、
重力方向において前記ポンプ部の下方に接続し尿素水を吸入するポンプ吸入部と、
重力方向において前記ポンプ部の上方に接続し前記ポンプ部で加圧された尿素水を吐出するポンプ吐出部と、
前記ポンプ吸入部に接続され前記ポンプ吸入部とは反対側の吸入端部から吸入された尿素水が前記ポンプ吸入部へ流れる接続通路を形成し、前記接続通路の少なくとも一部が重力方向において前記ポンプ部の前記ポンプ吐出部よりも上方に位置する吸入管部と、
を備えることを特徴とする尿素水ポンプ。
【請求項２】
前記モータ部の前記ポンプ部とは反対側の端部に設けられ、前記ポンプ部で加圧された尿素水が吐出される吐出部を備え、
前記吸入管部は、前記接続通路の少なくとも一部が重力方向において前記吐出部よりも上方にあることを特徴とする請求項１記載の尿素水ポンプ。
【請求項３】
前記吸入管部は、略Ｓ字形状であることを特徴とする請求項１または２記載の尿素水ポンプ。
【請求項４】
前記吸入管部は、前記ポンプ吸入部と前記吸入端部との間に開口部を有し、
前記開口部は、前記ポンプ吸入部および前記吸入端部よりも重力方向下方に位置する部分に設けられ、
前記開口部を開閉可能に設けられ、前記吸入管部の外側から前記接続通路への尿素水の流れを許容し、前記接続通路から前記吸入管部の外側への尿素水の流れを遮断する逆止弁をさらに備えることを特徴とする請求項１、２または３記載の尿素水ポンプ。
【請求項５】
請求項１から４のいずれか一項記載の尿素水ポンプと、
前記尿素水ポンプが収容され、尿素水を貯える尿素水タンクと、
前記尿素水タンクに貯えられている尿素水の液面位置を検出する液面センサと、
前記尿素水ポンプから吐出された尿素水を、内燃機関の排気通路を流れる排気に噴射するインジェクタと、
前記液面センサで検出した前記尿素水タンクに貯えられている尿素水の液面位置が重力方向において前記吸入端部よりも下方にあるとき、前記モータ部への通電および前記インジェクタからの尿素水の噴射を停止する制御部と、
を備えることを特徴とする尿素水噴射システム。
【発明の詳細な説明】
【技術分野】
【０００１】
本発明は、尿素水ポンプおよび尿素水噴射システムに関し、特に内燃機関の排気に添加される尿素水を供給する尿素水ポンプおよび尿素水噴射システムに関する。
【背景技術】
【０００２】
内燃機関、特にディーゼルエンジンから排出されるＮＯｘを還元する排気浄化装置として、ＳＣＲ（Selective Catalytic Reduction）システムが公知である。ＳＣＲシステムを用いた排気浄化装置は、例えば尿素などを還元剤として噴射することにより、排気に含まれるＮＯｘから窒素と水とを生成する。尿素水は、タンクに貯えられ、液面センサによってタンクにおける残量が検出されている（特許文献１参照）。ところで、尿素水は、空気に触れると水分が蒸発し、溶解している尿素が結晶として析出することがある。そのため、尿素を供給する配管の目詰まりを招き、尿素水の供給が不十分になるおそれがある。そこで、加圧手段を設け、配管に残存する尿素水を除去することが提案されている（特許文献２参照）。
【特許文献１】特開２００６−  ９０３３４号公報
【特許文献２】特開２００６−１３２３８４号公報
【発明の開示】
【発明が解決しようとする課題】
【０００３】
しかしながら、尿素水は配管に限らず尿素水ポンプにおいても水分が蒸発する場合がある。尿素水ポンプは、タンクに貯えられている尿素水を排気通路側へ供給する。タンクに貯えられている尿素水の液面は、例えば内燃機関の長期の運転停止にともない尿素水が消費されないときでも、水分の蒸発によって低下する。そのため、尿素水ポンプの内部における尿素水も減少する。尿素水ポンプのポンプ部は、例えば回転部材と回転部材を収容するケーシングとを有している。この回転部材は、ケーシングとの間にわずかなクリアランスを形成して回転している。そのため、回転部材とケーシングとの間に尿素の結晶が析出すると、析出した結晶が回転部材またはケーシングを損傷あるいは摩耗させたり、回転部材とケーシングとを固着させるおそれがある。その結果、尿素水が減少したまま尿素水ポンプを放置すると、析出した結晶によるポンプ部の作動不良を招き、尿素水の供給が困難になるおそれがある。
【０００４】
そこで、本発明は、上記の課題に鑑みてなされたものであり、その目的は、尿素水が減少したまま放置されても、尿素の結晶の析出が低減され、ポンプ部の確実な作動および尿素水の供給が確保される尿素水ポンプおよびこれを用いた尿素水噴射システムを提供することにある。
【課題を解決するための手段】
【０００５】
請求項１記載の発明では、接続通路を形成する吸入管部は少なくとも一部がポンプ部よりも上方に位置している。そのため、接続通路に残存する尿素水の液面位置は、ポンプ部よりも上方に位置する。これにより、ポンプ部に残存している尿素水は、接続通路を経由して外部に排出されない。その結果、ポンプ部には、接続通路とともに尿素水が残存する。ポンプ部に尿素水が残存することにより、ポンプ部は常に尿素水に浸され、空気との接触が回避される。したがって、液面位置が低下したまま放置されても、尿素の結晶の析出が低減され、ポンプ部の確実な作動および尿素水の供給を確保することができる。
【０００６】
請求項２記載の発明では、吸入管部はポンプ部から尿素水が吐出される吐出部よりも上方に位置している。これにより、接続通路に残存する尿素水の液面位置は、ポンプ部だけでなくモータ部よりも上方に位置する。そのため、ポンプ部だけでなくモータ部側も常に尿素水に浸される。その結果、例えば軸受など、モータ部側の摺動部における尿素の析出が低減される。したがって、ポンプ部だけでなくモータ部の確実な作動を確保することができる。
【０００７】
請求項３記載の発明では、吸入管部は略Ｓ字形状である。したがって、簡単な構造で吸入管部の一部をポンプ吸入部およびポンプ部よりも上方に位置させることができる。
請求項４記載の発明では、吸入管部は開口部を有する。例えば車両が坂路にあるときなど、尿素水は残存しているにも関わらず、吸入端部から尿素水を吸入できない場合がある。この場合でも、開口部が尿素水に浸っていれば、開口部から尿素水が吸入される。したがって、例えば坂路など尿素水の液面位置が不正になるときでも、尿素水を安定して吸入することができる。
【０００８】
また、請求項４記載の発明では、開口部は、ポンプ吸入部および吸入端部よりも下方に位置している。そのため、吸入端部よりも尿素水の液面が低下しても、開口部は尿素水に浸っている。これにより、吸入端部から尿素水を吸入できない位置まで液面が低下したときでも、尿素水は開口部から吸入される。したがって、例えば坂路など尿素水の液面位置が不正になるとき、および液面位置が低下したときでも、尿素水を安定して吸入することができる。一方、開口部をポンプ吸入部および吸入端部よりも下方に設けることにより、接続通路の尿素水は開口部から流出する。接続通路の尿素水が流出すると、ポンプ部は尿素水によって十分に浸されない。そこで、開口部に逆止弁を設けることにより、接続通路から外部への尿素水の流出を制限している。したがって、安定した尿素水の吸入を確保と、接続通路からの尿素水の流出の制限とを両立して達成することができる。
【０００９】
請求項５記載の発明では、尿素水タンクにおける尿素水の液面位置は液面センサによって検出される。制御部は、液面センサによって検出した尿素水の液面位置が吸入端部よりも低下すると、モータ部への通電およびインジェクタからの尿素水の噴射を停止する。これにより、尿素水の液面が低下したとき、尿素水ポンプから尿素水が吐出されず、ポンプ部および接続通路には尿素水が確実に残存する。したがって、液面位置が低下したまま放置されても、尿素の結晶の析出が低減され、ポンプ部の確実な作動および尿素水の供給を確保することができる。
【発明を実施するための最良の形態】
【００１０】
以下、本発明の尿素水ポンプを適用した尿素水噴射システムの複数の実施形態を図面に基づいて説明する。なお、複数の実施形態において実質的に同一の構成部位には同一の符号を付し、説明を省略する。
（第１実施形態）
本発明の第１実施形態による尿素水噴射システムを図１に示す。尿素水噴射システム１０は、内燃機関の排気に尿素水を噴射する。内燃機関としては、例えばガソリンエンジンやディーゼルエンジンなどのピストンエンジン、あるいはガスタービンエンジンなど任意のエンジンを適用することができる。尿素水噴射システム１０は、尿素水タンク１１、液面センサ１２、インジェクタ１３、尿素水ポンプ１４および制御部１５などを有している。
【００１１】
尿素水タンク１１は、インジェクタ１３から噴射される尿素水を貯える。液面センサ１２は、尿素水タンク１１に貯えられている尿素水の液面位置を検出する。液面センサ１２は、尿素水タンク１１に設けられている。液面センサ１２は、検出した尿素水の液面位置を電気信号として制御部１５へ出力する。インジェクタ１３は、図示しない内燃機関の排気管部１６に設けられている。排気管部１６は、排気通路１７を形成している。排気管部１６に設けられているインジェクタ１３は、排気通路１７を流れる排気に尿素水を噴射する。インジェクタ１３は、図示しない電磁弁を有している。この電磁弁は、制御部１５から出力された駆動信号に基づいて開閉する。電磁弁が開閉することにより、インジェクタ１３は尿素水ポンプ１４から供給された尿素水の噴射を断続する。インジェクタ１３から噴射された尿素水は、排気通路１７を流れる排気に混合された後、排気通路１７に設けられた図示しないＮＯｘ還元触媒に流入する。排気に含まれるＮＯｘは、ＮＯｘ還元触媒において尿素水と反応し、窒素（Ｎ２）および水（Ｈ２Ｏ）を生成する。
【００１２】
尿素水ポンプ１４は、尿素水タンク１１に収容されている。尿素水ポンプ１４は、ポンプ部２１およびモータ部２２で構成されている。ポンプ部２１は、ケーシング２３および回転部材としてのインペラ２４を有している。ケーシング２３は、内側にインペラ２４を収容するポンプ通路２５を形成している。ポンプ通路２５は、一方がケーシング２３に設けられているポンプ吸入部２６に接続し、他方がモータ部２２に接続している。インペラ２４は、円板状に形成され、外周側の端部に図示しないはね溝を有している。インペラ２４が回転すると、ポンプ通路２５に吸入された尿素水は加圧される。加圧された尿素水は、ケーシング２３に設けられているポンプ吐出部２７からモータ部２２側へ吐出される。ケーシング２３とインペラ２４との間には、わずかなクリアランスが設けられている。これにより、インペラ２４は、ポンプ通路２５においてケーシング２３と摺動しながら回転する。
【００１３】
モータ部２２は、シャフト３１とともに回転する回転子３２、および回転子３２の外周側で対向する固定子３３とを有している。なお、モータ部２２の構成は、本明細書に記載した例に関わらず、例えば直流モータあるいは交流モータなど任意の構成を採用することができる。シャフト３１は、軸方向の端部にインペラ２４が設けられている。モータ部２２に通電することによりシャフト３１が回転すると、シャフト３１とともにインペラ２４が回転する。モータ部２２の回転子３２および固定子３３は、ケーシング２３に収容されている。ケーシング２３とモータ部２２との間には、ポンプ部２１から吐出された尿素水が流れる吐出通路３４が形成される。また、ケーシング２３は、ポンプ部２１とは反対側の端部に吐出部３５を有している。吐出部３５は、供給配管部３６を経由してインジェクタ１３に接続している。これにより、ポンプ部２１のポンプ吐出部２７から吐出された尿素水は、吐出通路３４を経由して吐出部３５から尿素水ポンプ１４の外部へ吐出される。尿素水ポンプ１４から吐出された尿素水は、供給配管部３６を経由してインジェクタ１３へ供給される。
【００１４】
制御部１５は、図示しないＣＰＵ、ＲＯＭおよびＲＡＭを有するマイクロコンピュータで構成されている。制御部１５には、回転数センサ４１およびアクセルセンサ４２から電気信号が入力される。回転数センサ４１は、図示しない内燃機関の回転数を検出し、検出した回転数を電気信号として制御部１５へ出力する。また、アクセルセンサ４２は、図示しないアクセルペダルの開度を検出し、検出したアクセルペダルの開度を電気信号として制御部１５へ出力する。一方、制御部１５は、インジェクタ１３の図示しない電磁弁および尿素水ポンプ１４のモータ部２２に接続している。制御部１５は、上述のようにインジェクタ１３の電磁弁に対し、尿素水の噴射時期および噴射期間に対応する駆動信号を出力する。また、制御部１５は、モータ部２２への通電を制御する。
【００１５】
制御部１５は、アクセルセンサ４２で検出したアクセルペダルの開度に基づいて内燃機関の負荷を検出する。制御部１５は、検出した内燃機関の負荷および回転数センサ４１で検出した内燃機関の回転数から、尿素水の噴射タイミングおよび噴射量を算出する。制御部１５は、算出した尿素水の噴射タイミングおよび噴射量に基づいてインジェクタ１３の電磁弁へ出力する駆動信号を生成するとともに、尿素水ポンプ１４の駆動量を制御する。また、制御部１５は、液面センサ１２から出力された電気信号に基づいて、尿素水タンク１１に貯えられている尿素水の液面位置を検出する。
【００１６】
次に、上記の構成による尿素水ポンプ１４について詳細に説明する。
尿素水ポンプ１４は、吸入管部５０を備えている。吸入管部５０は、筒状に形成され、一方の端部が尿素水ポンプ１４のポンプ吸入部２６に接続している。吸入管部５０の他方の端部は、フィルタ５１を経由して尿素水タンク１１の内側に開口する吸入端部５２を形成している。吸入管部５０は、吸入端部５２とポンプ吸入部２６とを接続する接続通路５３を形成している。フィルタ５１は、接続通路５３へ吸入される尿素水に含まれる異物を捕集する。
【００１７】
吸入管部５０は、略Ｓ字形状に形成されている。詳細には、吸入管部５０は、重力方向においてＳ字形状の上下端を横倒しにした形状である。これにより、吸入管部５０は、ポンプ吸入部２６と吸入端部５２のフィルタ５１までの間に、上湾曲部５４および下湾曲部５５を有する。上湾曲部５４は、重力方向においてポンプ吸入部２６および吸入端部５２よりも上方に位置している。下湾曲部５５は、重力方向においてポンプ吸入部２６の下方に位置している。
【００１８】
上湾曲部５４は、重力方向においてポンプ部２１よりも上方に位置している。詳細には、上湾曲部５４は、ポンプ部２１のポンプ吐出部２７よりも上方に位置している。このように、吸入管部５０は、少なくとも一部すなわち上湾曲部５４がポンプ部２１よりも上方に位置している。そのため、尿素水タンク１１に貯えられている尿素水の液面位置が低下しても、接続通路５３では液面位置が吸入管部５０の上湾曲部５４の下端５６まで維持される。これにより、尿素水ポンプ１４の内側では、この吸入管部５０の上湾曲部５４の下端５６に相当する高さまで尿素水が貯えられる。したがって、尿素水タンク１１における尿素水の液面位置に関わらず、ポンプ部２１は尿素水に浸される。なお、上湾曲部５４の下端５６の位置は、ポンプ吐出部２７の上方に限らず、ケーシング２３とインペラ２４との摺動部分よりも上方であればよい。すなわち、尿素水タンク１１における尿素水の液面位置に関わらず、ケーシング２３とインペラ２４との摺動部分が尿素水に浸されるように上湾曲部５４の下端５６の位置を設定すればよい。
【００１９】
次に、上記の構成による尿素水噴射システム１０の作動について説明する。
内燃機関の運転が開始され、排気通路１７におけるＮＯｘの濃度が所定値以上になると、制御部１５はインジェクタ１３から尿素水の噴射を実施する。排気通路１７におけるＮＯｘの濃度は、内燃機関の燃料の噴射量すなわち内燃機関の負荷に依存する。そこで、制御部１５は、アクセルセンサ４２で検出したアクセルペダルの開度および回転数センサ４１で検出した内燃機関の回転数から噴射する尿素水の量を算出する。また、制御部１５は、尿素水を噴射するタイミングも算出する。制御部１５は、尿素水の噴射量および噴射タイミングを算出すると、算出した値に基づいてインジェクタ１３に駆動信号を出力する。インジェクタ１３は、駆動信号により電磁弁が駆動され、尿素水の噴射が断続される。インジェクタ１３は、排気通路１７を流れる排気に尿素水を噴射する。噴射された尿素水は、排気通路１７を流れる排気に混合された後、ＮＯｘ還元触媒へ流入する。排気に含まれるＮＯｘは、ＮＯｘ還元触媒で尿素とともに窒素および水へ分解される。
【００２０】
また、制御部１５は、インジェクタ１３からの尿素水の噴射にともない尿素水ポンプ１４の駆動を制御する。制御部１５は、算出されたインジェクタ１３からの尿素水噴射量に基づいて尿素水ポンプ１４の駆動すなわち回転数を制御する。尿素水ポンプ１４は、制御部１５からの通電によってモータ部２２のシャフト３１が回転する。シャフト３１の回転によってインペラ２４が回転し、ポンプ通路２５における尿素水を加圧する。インペラ２４が回転すると、ポンプ通路２５の圧力は低下する。そのため、吸入端部５２から吸入された尿素水は、接続通路５３およびポンプ吸入部２６を経由してポンプ通路２５へ流入する。インペラ２４の回転によってポンプ通路２５で加圧された尿素水は、ポンプ吐出部２７、吐出通路３４、吐出部３５および供給配管部３６を経由してインジェクタ１３へ供給される。
【００２１】
以上説明した第１実施形態では、略Ｓ字形状に形成された吸入管部５０は、最上部となる上湾曲部５４がポンプ部２１のポンプ吐出部２７よりも上方に位置している。そのため、尿素水タンク１１における尿素水の液面が低下しても、吸入管部５０の上湾曲部５４よりもポンプ吸入部２６側、およびポンプ部２１では尿素水の液面位置が上湾曲部５４の下端５６と同一の高さに位置している。これにより、尿素水タンク１１における尿素水の液面位置に関わらず、ポンプ部２１は尿素水に浸されている。例えば尿素水の蒸発などによって尿素水タンク１１内の液面位置が低下したまま放置されても、ポンプ部２１は尿素水に浸されている。その結果、ポンプ部２１のインペラ２４およびケーシング２３は、尿素水に浸される。インペラ２４およびケーシング２３を尿素水に浸すことにより、インペラ２４およびケーシング２３と空気との接触は回避される。その結果、インペラ２４やケーシング２３への尿素の結晶の析出は低減される。したがって、析出した結晶によるポンプ部２１の摩耗、損傷あるいは固着を低減することができ、ポンプ部２１の確実な作動を確保することができる。
【００２２】
（変形例）
上記の構成による尿素水噴射システム１０では、制御部１５は液面センサ１２によって尿素水タンク１１における尿素水の液面位置を検出している。そこで、制御部１５は、液面センサ１２で検出した尿素水の液面位置が吸入端部５２であるフィルタ５１の下端部よりも低いとき、インジェクタ１３による尿素水の噴射および尿素水ポンプ１４の作動を停止させる構成としてもよい。尿素水の液面位置がフィルタ５１の下端部よりも低いとき、インジェクタ１３および尿素水ポンプ１４の作動を継続すると、ポンプ部２１および接続通路５３に残存する尿素水はインジェクタ１３側へ吐出される。そのため、ポンプ部２１に残存する尿素水の液面が低下する。そこで、液面センサ１２で検出した尿素水の液面位置によってインジェクタ１３および尿素水ポンプ１４の作動を停止させることにより、尿素水のポンプ部２１への確実な残存が図られる。また、蒸発などにより尿素水ポンプ１４の液面位置が低下したときでも、尿素水ポンプ１４およびインジェクタ１３の作動による尿素水の消費が回避される。そのため、ポンプ部２１は尿素水へ浸された状態が維持される。したがって、液面位置が低下したり、液面位置が低下したまま放置されたりした場合でも、ポンプ部２１への尿素の結晶の析出が低減され、ポンプ部２１の確実な作動および尿素水の供給を確保することができる。
【００２３】
（第２実施形態）
本発明の第２実施形態による尿素水ポンプを適用した尿素水噴射システムを図２に示す。
第２実施形態による尿素水ポンプ１４の場合、吸入管部１５０の上湾曲部５４が吐出部３５よりも重力方向において上方に位置している。そのため、尿素水タンク１１の液面位置が低下したとき、ポンプ部２１だけでなくモータ部２２も尿素水に浸される。詳細には、吸入管部１５０の上湾曲部５４の下端５６は、モータ部２２のポンプ部２１とは反対側に設けられている吐出部３５よりも上方に位置している。そのため、尿素水タンク１１の液面位置が低下したとき、ポンプ部２１のポンプ通路２５だけでなくモータ部２２の吐出通路３４も尿素水に浸される。
【００２４】
第２実施形態では、モータ部２２の吐出通路３４も尿素水に浸される。そのため、モータ部２２を構成する回転子３２と固定子３３との間、およびシャフト３１と図示しない軸受との間における尿素の結晶の析出が低減される。したがって、ポンプ部２１だけでなくモータ部２２の摩耗、損傷あるいは固着を低減することができ、ポンプ部２１の確実な作動を確保することができる。
【００２５】
（第３実施形態）
本発明の第３実施形態による尿素水ポンプを適用した尿素水噴射システムを図３に示す。
第３実施形態による尿素水ポンプ１４の場合、吸入管部２５０の下湾曲部５５はポンプ吸入部２６および吸入端部５２よりも下方に位置している。すなわち、吸入管部２５０の下湾曲部５５の下端５７は、吸入端部５２のフィルタ５１の下端よりも下方に位置している。また、吸入管部２５０は、図４に示すようにこの下湾曲部５５の下端５７に板厚方向に貫く開口部５８を有している。吸入管部２５０の開口部５８には、逆止弁５９が設けられている。第３実施例の場合、逆止弁５９は接続通路５３と外部との圧力差によって開口部５８を開閉する球状部材である。逆止弁５９は、吸入管部２５０の外部から接続通路５３への尿素水の流れを許容するとともに、接続通路５３から吸入管部２５０の外部への尿素水の流れを制限する。
【００２６】
例えば尿素水タンク１１における尿素水の残量が少なく、車両が傾斜地あるいは坂路を走行または停車しているとき、図３に示すように尿素水タンク１１における尿素水の液面位置は傾斜した不正な状態となる。また、車両の走行時の揺れなどによっても、尿素水タンク１１に貯えられている尿素水の液面位置は不正な状態となる。このとき、尿素水タンク１１に尿素水が残存しているにも関わらず、尿素水の液面位置がフィルタ５１の下端よりも下方になると、尿素水ポンプ１４は尿素水の吸入が困難になる。第３実施形態では、吸入管部２５０の最下部となる下湾曲部５５に開口部５８が設けられている。下湾曲部５５は、フィルタ５１よりも下方にある。そのため、フィルタ５１が尿素水に浸っていない場合でも、下湾曲部５５は尿素水に浸っている。その結果、尿素水の液面が不正な状態となりフィルタ５１からの尿素水の吸入が困難な場合でも、尿素水ポンプ１４を作動したとき尿素水は開口部５８から吸入される。
【００２７】
一方、開口部５８を設けることにより、吸入管部５０に残存する尿素水は開口部５８を経由して外部へ流出するおそれがある。そこで、開口部５８には、逆止弁５９を設けている。逆止弁５９は、接続通路５３から外部への尿素水の流出を制限する。そのため、モータ部２２が停止されると、逆止弁５９は開口部５８を閉塞し、外部への尿素水の流出が低減される。これにより、尿素水タンク１１における尿素水の液面位置が低下しているとき、モータ部２２が停止されても、接続通路５３には尿素水が残存する。したがって、安定した尿素水の吸入を確保と、接続通路５３からの尿素水の流出の制限とを両立して達成することができる。
【００２８】
（その他の実施形態）
以上説明した複数の実施形態では、吸入管部５０、１５０、２５０を略Ｓ字形状に形成する例について説明した。しかし、吸入管部５０、１５０、２５０は、少なくとも一部がポンプ部２１よりも上方に位置する構成であれば、略Ｓ字形状に限らない。また、第３実施形態で説明したように吸入管部２５０に形成する開口部５８の位置は、吸入管部２５０の下湾曲部５５の下端５７に限らない。開口部５８は、ポンプ吸入部２６および吸入端部５２よりも下方に位置する部分であれば吸入管部５０の任意の部分に設けることができる。
【００２９】
また、開口部５８には、フィルタ５１と同様にフィルタを設けてもよい。これにより、開口部５８から接続通路５３へ吸入される尿素水は、開口部５８に設けられたフィルタによって異物が捕集される。したがって、尿素水ポンプ１４のポンプ部２１において、異物による破損、摩耗あるいは固着などを低減することができる。
以上説明した各実施形態では、それぞれ個別に適用する例について説明した。しかし、複数の実施形態を組み合わせて適用してもよい。また、第２実施形態および第３実施形態に第１実施形態の変形例を組み合わせて適用してもよい。
【００３０】
以上説明した本発明は、上記実施形態に限定されるものではなく、その要旨を逸脱しない範囲で種々の実施形態に適用可能である。
【図面の簡単な説明】
【００３１】
【図１】本発明の第１実施形態による尿素水ポンプを適用した尿素水噴射システムを示す模式図
【図２】本発明の第２実施形態による尿素水ポンプを適用した尿素水噴射システムを示す模式図
【図３】本発明の第３実施形態による尿素水ポンプを適用した尿素水噴射システムを示す模式図
【図４】本発明の第３実施形態による尿素水ポンプの吸入管部において下湾曲部を拡大した断面図
【符号の説明】
【００３２】
図面中、１０は尿素水噴射システム、１１は尿素水タンク、１２は液面センサ、１３はインジェクタ、１４は尿素水ポンプ、１５は制御部、１７は排気通路、２１はポンプ部、２２はモータ部、２６はポンプ吸入部、３５は吐出部、５０、１５０、２５０は吸入管部、５２は吸入端部、５３は接続通路、５８は開口部、５９は逆止弁を示す。
【図１】
0004853472.tif 000002
【図２】
0004853472.tif 000003
【図３】
0004853472.tif 000004
【図４】
0004853472.tif 000005